(57)【要約】【課題】問題中のマスクされる部分が定型化できるような問題コンテンツを用い、手軽に多くの問題を消化して、学習支援の効果を高める。【解決手段】第１のコンテンツを投影する投影系13〜17と、第１のコンテンツの一部を部分的にマスクする第２のコンテンツが複数種類記憶された画像メモリ12と、複数種類の第２のコンテンツの中から、投影する第１のコンテンツに対応する第２のコンテンツを選択し、重畳して表示させるＣＰＵ20とを備える。【選択図】図２
2016126051.tif 000002
【特許請求の範囲】
【請求項１】
第１のコンテンツを表示する表示部と、
上記第１のコンテンツの一部を部分的にマスクする第２のコンテンツが複数種類記憶された記憶部と、
複数種類の上記第２のコンテンツの中から、上記表示部で表示する上記第１のコンテンツに対応する上記第２のコンテンツを選択し、重畳して表示させる表示制御部と、
を備えることを特徴とする表示装置。
【請求項２】
複数種類の上記第２のコンテンツのうちの各一種類の上記第２のコンテンツは、上記第１のコンテンツの部分的なマスクの箇所数に対応するマスク数を備えることを特徴とする請求項１記載の表示装置。
【請求項３】
上記第２のコンテンツは、上記第１のコンテンツの部分的な複数個所をマスクすることを特徴とする請求項１記載の表示装置。
【請求項４】
上記第１のコンテンツは、質問画像を含み、
上記第２のコンテンツは、マスク画像を含み、
上記記憶部は、上記第１のコンテンツを記憶する第１の記憶部と、上記第２のコンテンツを記憶する第２の記憶部と、を含み、
上記表示制御部は、上記第１のコンテンツに対応する上記第２のコンテンツを重畳して表示させる第１の表示制御部と、上記マスク画像の指定を受付けるマスク指定部で受付けた指定に基づいて上記第１の表示制御部による上記マスク画像の表示を解除し当該部分の質問画像を表示させる第２の表示制御部と、
を備えることを特徴とする請求項１乃至３いずれか記載の表示装置。
【請求項５】
上記複数の質問画像のコンテンツ及び複数のパターンのマスク画像のコンテンツの一方から１つの画像のコンテンツを選択することにより、対応する他方の画像のコンテンツを自動的に選択する選択部をさらに備える
ことを特徴とする請求項４記載の表示装置。
【請求項６】
上記マスク指定手段は、上記第２の表示制御部によりマスク画像の表示を解除して当該部分の質問画像を表示させた状態から当該部分の再指定を受付け、
上記第１の表示制御部は、上記マスク指定部で再指定を受付けた質問画像の当該部分上にマスク画像を重畳した画像を表示させる
ことを特徴とする請求項４または５記載の表示装置。
【請求項７】
上記マスク指定部は、複数のマスク画像中から１つを識別する識別符号の指定、及び複数のマスク画像中の位置の指定の少なくとも一方によりマスク画像の指定を受付けることを特徴とする請求項４乃至６いずれか記載の表示装置。
【請求項８】
第１のコンテンツを表示する表示部と、上記第１のコンテンツの一部を部分的にマスクする第２のコンテンツが複数種類記憶された記憶部とを備えた装置での表示方法であって、
複数種類の上記第２のコンテンツの中から、上記表示部で表示する上記第１のコンテンツに対応する上記第２のコンテンツを選択し、重畳して表示させる表示制御工程を有することを特徴とする表示方法。
【請求項９】
第１のコンテンツを表示する表示部と、上記第１のコンテンツの一部を部分的にマスクする第２のコンテンツが複数種類記憶された記憶部とを備えた装置が内蔵したコンピュータが実行するプログラムであって、上記コンピュータを、
複数種類の上記第２のコンテンツの中から、上記表示部で表示する上記第１のコンテンツに対応する上記第２のコンテンツを選択し、重畳して表示させる表示制御部として機能させることを特徴とするプログラム。
【発明の詳細な説明】
【技術分野】
【０００１】
本発明は、例えば学習支援用の画像の投影に好適な表示装置、表示方法及びプログラムに関する。
【背景技術】
【０００２】
従来、複数の学習コンテンツを搭載することができ、一旦電源を落とし再度電源を立ち上げた後でも非表示設定を維持できる学習効率の高い反復学習可能な学習装置を提供するための技術が提案されている。（例えば、特許文献１）
【先行技術文献】
【特許文献】
【０００３】
【特許文献１】特開２００９−０５８７７２号公報
【発明の概要】
【発明が解決しようとする課題】
【０００４】
上記特許文献に記載された技術では、学習用コンテンツを表示した状態で、文字コードに対応してユーザの操作により任意の文字列が非表示となるように指定する。この文字列を指定した座標情報を不揮発性メモリに記憶させることで、電源の再立上げ後もコンテンツ中の非表示状態を維持するようにしたものである。
【０００５】
この種の技術は、特許文献でも例示されているように、長い文章中からユーザ自身がキーワードとなる任意の文字列を指定するような、例えば社会科や国語など文章問題が多い科目に適した技術であると思われる。
【０００６】
その反面、例えば同一形式の計算式などが列挙された問題などにおいては、その都度非表示部分を設定すること自体がユーザにとって煩雑な作業となり、非効率で現実的ではない。
【０００７】
本発明は上記のような実情に鑑みてなされたもので、その目的とするところは、問題中のマスクされる部分が定型化できるような問題コンテンツを用い、手軽に多くの問題を消化して、学習支援の効果を高めることが可能な表示装置、表示方法及びプログラムを提供することにある。
【課題を解決するための手段】
【０００８】
本発明の一態様は、第１のコンテンツを表示する表示部と、上記第１のコンテンツの一部を部分的にマスクする第２のコンテンツが複数種類記憶された記憶部と、複数種類の上記第２のコンテンツの中から、上記表示部で表示する上記第１のコンテンツに対応する上記第２のコンテンツを選択し、重畳して表示させる表示制御部と、を備えることを特徴とする。
【発明の効果】
【０００９】
本発明によれば、問題中のマスクされる部分が定型化できるような問題コンテンツを用い、手軽に多くの問題を消化して、学習支援の効果を高めることが可能となる。
【図面の簡単な説明】
【００１０】
【図１】本発明の一実施形態に係るプロジェクタ装置の外観構成と画像投影状態とを示す斜視図。
【図２】同実施形態に係るプロジェクタ装置の電子回路の機能構成を示すブロック図。
【図３】同実施形態に係るマスク学習モードでの投影処理の内容を示すフローチャート。
【図４】同実施形態に係る予め用意されたマスク画像のパターン例を示す図。
【図５】同実施形態に係るマスク画像を質問画像に重畳して投影した状態を例示する図。
【図６】同実施形態に係るマスク画像を質問画像に重畳して投影した状態を例示する図。
【図７】同実施形態に係るマスク画像を質問画像に重畳して投影した状態を例示する図。
【図８】同実施形態に係るマスク画像を質問画像に重畳して投影した状態を例示する図。
【発明を実施するための形態】
【００１１】
以下、本発明をプロジェクタ装置に適用した場合の一実施形態について、図面を参照して詳細に説明する。  
図１は、本実施形態に係るプロジェクタ装置１０の外観構成と画像を投影する状態とを示す斜視図である。このプロジェクタ装置１０は、Ａ５版乃至Ｂ５版サイズ相当の厚肉立方体の筐体を有する。同図では、プロジェクタ装置１０を平置きとして、筐体上部側の一部を形成するリッド１０Ａを開けて、斜め上方に向けて画像を投影する状態を例示している。ここでは、プロジェクタ装置１０から離れた位置にある、鉛直面に張設されたスクリーンＳＣに画像を投影している。
【００１２】
図示しないが同リッド１０Ａの内面には凹面鏡が形成されており、プロジェクタ装置１０の内部で形成された光像を当該凹面鏡で反射させ、投影対象であるスクリーンＳＣに向けて出射する。
【００１３】
またプロジェクタ装置１０の筐体一側面には、このプロジェクタ装置１０専用の図示しないリモートコントローラから赤外線変調信号を受信するための赤外線受光部１０Ｂ、ＵＳＢメモリ等の外部機器を接続するためのＵＳＢ端子１０Ｃが設けられる。
【００１４】
図２は、上記プロジェクタ装置１０の主として電子回路の機能構成を説明する。同図中、上記ＵＳＢ端子１０ＣがＵＳＢインタフェース（Ｉ／Ｆ）１１と接続され、ＵＳＢメモリ等を介して送られてきた画像データがバスＢを介して画像メモリ１２に蓄積される。
【００１５】
画像メモリ１２から読出された画像データは、上記バスＢを介して投影画像駆動部１３に送られる。
【００１６】
投影画像駆動部１３は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１４を表示駆動する。
【００１７】
このマイクロミラー素子１４は、アレイ状に配列された複数個、例えば横１６００個×縦１２００個の微小ミラーの各傾斜角度を個々に高速でオン／オフ動作して表示動作することで、その反射光により光像を形成する。
【００１８】
一方で、光源部１５から時分割でＲ，Ｇ，Ｂの原色光が循環的に出射される。光源部１５は、半導体発光素子であるＬＥＤを有し、Ｒ，Ｇ，Ｂの原色光を時分割で繰返し出射する。光源部１５が有するＬＥＤは、広義でのＬＥＤとして、ＬＤ（半導体レーザ）や有機ＥＬ素子を含むものとしても良い。この光源部１５からの原色光が、ミラー１６で全反射して上記マイクロミラー素子１４に照射される。
【００１９】
そして、マイクロミラー素子１４での反射光で光像が形成され、形成された光像が投影レンズ部１７を介して、上記スクリーンＳＣに投影される。
【００２０】
また上記画像メモリ１２から読出した画像データが音声データを付帯していた場合、画像データと共に読出される音声データは、バスＢを介して音声処理部１８へ送信される。この音声処理部１８は、例えばＰＣＭ音源などの音源回路を有し、送られてきた音声データに基づいて音声信号を再生し、スピーカ部１９より放音させる。
【００２１】
上記各回路の動作すべてをＣＰＵ２０が制御する。このＣＰＵ２０は、メインメモリ２１及びプログラムメモリ２２と直接接続される。メインメモリ２１は、例えばＳＲＡＭで構成され、ＣＰＵ２０のワークメモリとして機能する。プログラムメモリ２２は、電気的書換可能な不揮発性メモリ、例えばフラッシュＲＯＭで構成され、ＣＰＵ２０が実行する動作プログラムや各種定型データ等を記憶する。
【００２２】
ＣＰＵ２０は、上記プログラムメモリ２２に記憶されているプログラムや定型データ等を読出し、メインメモリ２１に展開して記憶させた上で当該プログラムを実行することにより、このプロジェクタ装置１０を統括して制御する。
【００２３】
上記ＣＰＵ２０は、操作部２３からの操作信号に応じて各種投影動作を実行する。この操作部２３は、プロジェクタ装置１０の本体に備えるキー入力部、及びこのプロジェクタ装置１０の図示しないリモートコントローラ、及びこのリモートコントローラからの操作信号を受信する上記赤外線受光部１０Ｂを含み、ユーザの操作に応じたキー操作信号を直接上記ＣＰＵ２０へ送出する。
【００２４】
次に上記実施形態の動作について説明する。  
なお上記画像メモリ１２には、複数のマスク画像データと、複数の質問画像データとが予め記憶されているものとする。
【００２５】
複数の質問画像データはそれぞれ、画像データ本体に対して、適合するマスク画像データの識別情報と、問題内容を簡潔に表現したタイトル名（例えば「算数  一桁の足し算（その０１）」など）の情報とを組み合わせたデータフォーマットの構成をとっているものとする。
【００２６】
図３は、ＣＰＵ２０が実行する、マスク画像データを用いたマスク学習モードでの動作の流れを示す。その当初にＣＰＵ２０は、画像メモリ１２に記憶されている複数のマスク画像データにより、マスクパターンの一覧画像データを生成して投影画像駆動部１３に送出し、マイクロミラー素子１４で画像を表示させて、投影レンズ部１７により当該画像をスクリーンＳＣで表示させる（ステップＳ１０１）。
【００２７】
図４は、上記一覧画像データによりこのプロジェクタ装置１０のユーザが選択し得る、いくつかのマスク画像のパターン例を示す。図４（Ａ）は、１画面中に横書きでの一行に渡るマスク部分が３行分縦に配置されたマスク画像ＭＰ１を示す。
【００２８】
このように、３行のマスク部分が配置された１枚のマスク画像ＭＰ１を使用し、質問画像に重畳させて隠したり、このマスク画像ＭＰ１を外すことで、３行分のマスク部分が一度に見えても良い。或いは、それぞれ異なる１行のマスク部分が配置された計３枚のマスク画像ＭＰ１を使用し、一度に３枚のマスク画像ＭＰ１を同時に外すことで、３行分のマスク部分が見える構成にしても良い。この場合は、３枚のマスク画像ＭＰ１のうちの所望の１枚を外すことで、所望の１行分のマスク部分が削除されて見えるようになる。
【００２９】
図４（Ｂ）は、１画面中に縦書きでの一行に渡るマスク部分が３行分横に配置されたマスク画像ＭＰ２を示す。図４（Ｃ）は、１画面中に縦２個×横２個の計４個のマスク部分が配置されたマスク画像ＭＰ３を示す。図４（Ｄ）は、１画面中に縦３個×横２個の計６個のマスク部分が配置されたマスク画像ＭＰ４を示す。図４（Ｅ）は、１画面中に縦４個×横２個の計８個のマスク部分が配置されたマスク画像ＭＰ５を示す。図４（Ｆ）は、１画面中に縦３個×横３個の計９個のマスク部分が配置されたマスク画像ＭＰ６を示す。
【００３０】
なお、図４（Ｂ）乃至図４（Ｆ）におけるマスク画像ＭＰ２乃至ＭＰ６においても、図４（Ａ）におけるマスク画像ＭＰ１と同様に１枚のマスク画像に限らず、マスク部分の数と同数のマスク画像を有するようにし、所望のマスク部分のみを削除てきる構成にしても良い。
【００３１】
ＣＰＵ２０は、上記のように示したパターン例の各マスク画像を簡易化して一覧画像としてスクリーンＳＣに投影させた状態から、それらのうちのいずれかが選択されるのを操作部２３からのキー操作信号により受付ける（ステップＳ１０２）。
【００３２】
この場合、一覧画像中の各マスク画像毎に識別番号を併せて投影し、対応する番号のキー操作がプロジェクタ装置１０の専用リモートコントローラの番号キーにより操作されるのを待機し、操作された番号を認識することで、ＣＰＵ２０はマスク画像の選択を受付ける。
【００３３】
こうしてマスク画像の選択を受付けたＣＰＵ２０は、次に選択されたマスク画像の識別情報に該当する質問画像データを画像メモリ１２内で検索し、検索結果に基づいて、適合する質問画像のタイトル名の一覧画像データを生成して投影画像駆動部１３に送出し、マイクロミラー素子１４で画像を表示させて、投影レンズ部１７により当該画像をスクリーンＳＣで表示させる（ステップＳ１０３）。
【００３４】
ＣＰＵ２０は、質問画像のタイトル名の一覧画像としてスクリーンＳＣに投影させた状態から、それらのうちのいずれかが選択されるのを操作部２３からのキー操作信号により受付ける（ステップＳ１０４）。
【００３５】
この場合、一覧画像中の各質問画像のタイトル名毎に識別番号を併せて投影し、対応する番号のキー操作がプロジェクタ装置１０の専用リモートコントローラの番号キーにより操作されるのを待機し、操作された番号を認識することで、ＣＰＵ２０は質問画像の選択を受付ける。
【００３６】
または、上記番号の操作による選択に代えて、一覧画像中の各質問画像のタイトル名の例えば先頭位置にある１つをデフォルトとして反転画像として投影し、プロジェクタ装置１０の専用リモートコントローラのカーソルキーの操作に応じて反転画像の位置を移動させ、エンターキーが操作された際、その時点で反転画像となっていたタイトル名が選択されたものとして、質問画像の選択を受付けるものとしても良い。
【００３７】
こうして質問画像の選択を受付けたＣＰＵ２０は、あらためて、選択された質問画像の上に選択されたマスク画像を重畳したレイヤ画像データを生成し、生成した画像データを投影画像駆動部１３に送出してマイクロミラー素子１４で表示させ、投影レンズ部１７により当該画像をスクリーンＳＣで表示させる（ステップＳ１０５）。
【００３８】
この場合、上に重畳されるマスク画像中のマイクロホン部分は、そのほとんどの領域が「黒」であるものとして、下の質問画像に優先して重畳される。この場合、当該マスク部分の端部、例えば画像の右下側には、当該マスク部分を指定するための番号表記の画像が加えられる。したがって、スクリーンＳＣで投影される画像では、質問画像上に重畳されるマスク画像のマスク部分が、上記番号表記を除いて「黒」となる。
【００３９】
図５は、上記図４（Ｄ）で示したマスク画像データＭＰ４を、それに適合した質問画像データに重畳してスクリーンＳＣで投影した状態を例示している。ここでは「算数  一桁の足し算」を学習するための質問画像が投影されており、６題のいずれの足し算も、和（答え）の部分が丸数字による番号表記「１」〜「６」を付記したマスク部分となっている例を示す。この場合、それぞれ「１」〜「６」の番号表記が成された計６枚のマスク画像から構成されている。
【００４０】
このとき投影画像中には、併せて同一マスクパターンの他の質問画像を選択するためのキー操作、他のマスクパターンを選択するためのキー操作、及びこのマスク学習モードを終了するためのキー操作を対応するリモートコントローラのキー名と共に、ガイドメッセージとして表記するものとしても良い。
【００４１】
このように質問画像にマスク画像を重畳したレイヤ画像を投影した状態から、マスク部分を指定する操作がなされたか否かを、上記番号表記に対応する数値がこのプロジェクタ装置１０専用のリモートコントローラで操作されたか否かにより判断する（ステップＳ１０６）。
【００４２】
マスク部分を指定する操作がなされていないと判断した場合（ステップＳ１０６のＮｏ）、ＣＰＵ２０は次に、その時点で表示している質問画像に代えて、同一マスクパターンの他の質問画像を選択して切換えるための操作がなされたか否かを、対応する上記リモートコントローラのキーが操作されたか否かにより判断する（ステップＳ１１０）。
【００４３】
ここで同一マスクパターンの他の質問画像を選択して切換えるための操作がなされていないと判断した場合（ステップＳ１１０のＮｏ）、ＣＰＵ２０は次に、他のマスクパターンを選択するためのキー操作がなされたか否かを、対応する上記リモートコントローラのキーが操作されたか否かにより判断する（ステップＳ１１１）。
【００４４】
ここで他のマスクパターンを選択するための操作がなされていないと判断した場合（ステップＳ１１１のＮｏ）、ＣＰＵ２０は次に、このマスク学習モードを終了するための操作がなされたか否かを、対応する上記リモートコントローラのキーが操作されたか否かにより判断する（ステップＳ１１２）。
【００４５】
ここでマスク学習モードを終了するためのキー操作がなされていないと判断した場合（ステップＳ１１２のＮｏ）、ＣＰＵ２０は上記ステップＳ１０５からの処理に戻る。
【００４６】
こうしてステップＳ１０５，Ｓ１０６，Ｓ１１０〜Ｓ１１２の処理を繰返し実行することで、マスク画像を重畳した質問画像の投影を行ないながら、マスク部分を指定する操作、同一マスクパターンの他の質問画像を選択して切換えるための操作、他のマスクパターンを選択するための操作、及びマスク学習モードを終了するための操作のいずれかがなされるのを待機する。
【００４７】
上記図５で示した画像の投影状態から、プロジェクタ装置１０専用のリモートコントローラで数値「３」キーが押される等、操作された場合、上記ステップＳ１０６においてＣＰＵ２０は、マスク部分を指定する操作がなされたと判断し（ステップＳ１０６のＹｅｓ）、次に数値キーで示されたマスク位置にその時点でマスクが存在するか否かを判断する（ステップＳ１０７）。
【００４８】
ここで図５に示す如く「３」のマスク部分が存在すると判断すると（ステップＳ１０７のＹｅｓ）、ＣＰＵ２０は表示しているマスク画像のデータから「３」位置に該当するマスク画像を一時的に削除設定した上で（ステップＳ１０８）、再び上記ステップＳ１０５からの処理に戻る。この際、番号表記「１」〜「６」に対応する計６枚のマスク画像のうち、「３」に対応するマスク画像のみ外す。
【００４９】
図６は、このとき投影されるレイヤ画像を例示するものであり、上記図５のマスク部分「３」が削除され、元の質問画像データに記載されていた足し算「１＋３」の和「４」の部分が、丸数字による番号表記「３」を残して、そのまま投影されている状態を示す。
【００５０】
この図６で示した画像の投影状態から、さらにプロジェクタ装置１０専用のリモートコントローラで数値「６」キーが操作された場合、上記ステップＳ１０６においてＣＰＵ２０は、マスク部分を指定する操作がなされたと判断し（ステップＳ１０６のＹｅｓ）、次に数値キーで示されたマスク位置にその時点でマスクが存在するか否かを判断する（ステップＳ１０７）。
【００５１】
ここで図６に示す如く「６」のマスク部分が存在すると判断すると（ステップＳ１０７のＹｅｓ）、ＣＰＵ２０は表示しているマスク画像のデータから「６」位置に該当するマスク画像を一時的に削除設定した上で（ステップＳ１０８）、再び上記ステップＳ１０５からの処理に戻る。この際、質問画像と重ね合わされている番号表記「１」、「２」、「４」〜「６」に対応する計５枚のマスク画像のうち、「６」に対応するマスク画像を外す。
【００５２】
図７は、このとき投影されるレイヤ画像を例示するものであり、上記図６のマスク部分「６」がさらに削除され、元の質問画像データに記載されていた足し算「５＋３」の和「８」の部分が、丸数字による番号表記「６」を残して、そのまま投影されている状態を示す。
【００５３】
この図７で示した画像の投影状態から、さらにプロジェクタ装置１０専用のリモートコントローラで再び数値「６」キーが操作された場合、上記ステップＳ１０６においてＣＰＵ２０は、マスク部分を指定する操作がなされたと判断し（ステップＳ１０６のＹｅｓ）、次に数値キーで示されたマスク位置にその時点でマスクが存在するか否かを判断する（ステップＳ１０７）。
【００５４】
ここで図７に示す如く「６」のマスク部分は存在しないと判断すると（ステップＳ１０７のＮｏ）、ＣＰＵ２０はその時点で表示していないマスク画像データ中のマスク部分を一時的に復元設定した上で（ステップＳ１０９）、再び上記ステップＳ１０５からの処理に戻る。この際、質問画像と重ね合わされていない番号表記「６」に対応するマスク画像を、質問画像、及び番号表記「１」、「２」、「４」、「５」に対応する計４枚のマスク画像と共に重畳させる。
【００５５】
図８は、このとき投影されるレイヤ画像を例示するものであり、上記図７から再びマスク部分「６」が復元されて、元の質問画像データに記載されていた足し算「５＋３」の和の部分がマスク部分により分からない状態となる。
【００５６】
このように、同一のマスク部分を指定する操作を行なうことにより、当初のマスク部分で下の質問画像が隠された状態から、順次マスク部分の削除と復元とがバイナリに繰返して実行される。
【００５７】
また上記ステップＳ１１０において、同一マスクパターンの他の質問画像を選択して切換えるための操作がなされたと判断した場合（ステップＳ１１０のＹｅｓ）、次にＣＰＵ２０は上記ステップＳ１０３からの処理に戻り、質問画像をあらためて選択する。
【００５８】
さらに上記ステップＳ１１１において、他のマスクパターンを選択して切換えるための操作がなされたと判断した場合（ステップＳ１１１のＹｅｓ）、次にＣＰＵ２０は上記ステップＳ１０１からの処理に戻り、マスク画像を選択する最初の処理からやり直す。
【００５９】
そして上記ステップＳ１１２において、マスク学習モードを終了するためのキー操作がなされたと判断した場合（ステップＳ１１２のＹｅｓ）、ＣＰＵ２０は以上でこの図５による処理を一旦終了する。
【００６０】
なお上記動作例では、マスク部分の指定を、マスク部分に表記してある番号にしたがってリモートコントローラの数値キーの操作により行なうものとして説明したが、マスク部分の指定は、他に当該リモートコントローラのカーソルキー（十字キー）とエンターキーとを併用して、マスク部分に該当する位置を順次カーソル表示により移動させた上で、任意の位置で確定するものとしても良い。
【００６１】
さらには、ポインタでマスク部分に該当する位置を指定し、ボタンを操作することでオン／オフを切り替えるようにしても良い。
【００６２】
また上記動作例では、先にマスク画像を選択した後に、そのマスク画像と適合する質問画像を選択するものとして説明したが、本発明はこれに限らず、先に質問画像を選択することで、質問画像のデータに付記されているマスク画像の識別情報を読出して自動的にマスク画像を選択するものとしても良い。
【００６３】
しかしながらこの場合、質問画像のタイトル名だけでなく、質問画像データの画像内容を視認した上で質問画像データを選択するような場合、問題を答える生徒が同場所に存在している環境では、生徒にも先に回答部分が見えてしまう虞があるため、注意を要する。
【００６４】
さらには、質問画像を作成する際に、マスクしたい領域に対応するマスク部分を有するマスク画像を同時に作成しても良い。
【００６５】
以上詳述した如く本実施形態によれば、問題中のマスクされる部分が定型化できるような問題コンテンツを用い、手軽に多くの問題を消化して、学習支援の効果を高めることが可能となる。
【００６６】
なお上記実施形態では、マスク画像データ及び質問画像データの一方を選択すれば、適合する他方のデータの選択肢を自動的に検索できるものとしたので、設定に要する手間を省いて、より簡易に実際の学習に移行することができる。
【００６７】
また上記実施形態では、マスク部分を解除して、下の質問画像を投影させた状態から、再度当該マスク部分を指定することで、マスク部分の投影を復元するようにしたため、繰返し操作による使い勝手を向上して、学習効果を高めることができる。
【００６８】
さらに上記実施形態では、マスク画像中の各マスク部分を番号などの識別符号、あるいは位置関係により指定することを可能としたので、装置に付属しているリモートコントローラや専用ポインタ等の使用によりランダムにマスク部分を指定できる。
【００６９】
なお上記実施形態は、ＤＬＰ（Ｄｉｇｉｔａｌ  Ｌｉｇｈｔ  Ｐｒｏｃｅｓｓｉｎｇ）（登録商標）方式のプロジェクタ装置に適用した場合について説明したが、本発明はプロジェクタ装置に限らず、比較的画面の大きいタブレット端末や、テレビ受像機をモニタ装置としてパーソナルコンピュータと接続して使用する場合などにも適用可能である。
【００７０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００７１】
以下に、本願出願の当初の特許請求の範囲に記載された発明を付記する。  
［請求項１］  
第１のコンテンツを表示する表示部と、  
上記第１のコンテンツの一部を部分的にマスクする第２のコンテンツが複数種類記憶された記憶部と、  
複数種類の上記第２のコンテンツの中から、上記表示部で表示する上記第１のコンテンツに対応する上記第２のコンテンツを選択し、重畳して表示させる表示制御部と、  
を備えることを特徴とする表示装置。  
［請求項２］  
複数種類の上記第２のコンテンツのうちの各一種類の上記第２のコンテンツは、上記第１のコンテンツの部分的なマスクの箇所数に対応するマスク数を備えることを特徴とする請求項１記載の表示装置。  
［請求項３］  
上記第２のコンテンツは、上記第１のコンテンツの部分的な複数個所をマスクすることを特徴とする請求項１記載の表示装置。  
［請求項４］  
上記第１のコンテンツは、質問画像を含み、  
上記第２のコンテンツは、マスク画像を含み、  
上記記憶部は、上記第１のコンテンツを記憶する第１の記憶部と、上記第２のコンテンツを記憶する第２の記憶部と、を含み、  
上記表示制御部は、上記第１のコンテンツに対応する上記第２のコンテンツを重畳して表示させる第１の表示制御部と、上記マスク画像の指定を受付けるマスク指定部で受付けた指定に基づいて上記第１の表示制御部による上記マスク画像の表示を解除し当該部分の質問画像を表示させる第２の表示制御部と、  
を備えることを特徴とする請求項１乃至３いずれか記載の表示装置。  
［請求項５］  
上記複数の質問画像のコンテンツ及び複数のパターンのマスク画像のコンテンツの一方から１つの画像のコンテンツを選択することにより、対応する他方の画像のコンテンツを自動的に選択する選択部をさらに備えることを特徴とする請求項４記載の表示装置。  
［請求項６］  
上記マスク指定手段は、上記第２の表示制御部によりマスク画像の表示を解除して当該部分の質問画像を表示させた状態から当該部分の再指定を受付け、  
上記第１の表示制御部は、上記マスク指定部で再指定を受付けた質問画像の当該部分上にマスク画像を重畳した画像を表示させる  
ことを特徴とする請求項４または５記載の表示装置。  
［請求項７］  
上記マスク指定部は、複数のマスク画像中から１つを識別する識別符号の指定、及び複数のマスク画像中の位置の指定の少なくとも一方によりマスク画像の指定を受付けることを特徴とする請求項４乃至６いずれか記載の表示装置。  
［請求項８］  
第１のコンテンツを表示する表示部と、上記第１のコンテンツの一部を部分的にマスクする第２のコンテンツが複数種類記憶された記憶部とを備えた装置での表示方法であって、  
複数種類の上記第２のコンテンツの中から、上記表示部で表示する上記第１のコンテンツに対応する上記第２のコンテンツを選択し、重畳して表示させる表示制御工程を有することを特徴とする表示方法。
［請求項９］
第１のコンテンツを表示する表示部と、上記第１のコンテンツの一部を部分的にマスクする第２のコンテンツが複数種類記憶された記憶部とを備えた装置が内蔵したコンピュータが実行するプログラムであって、上記コンピュータを、  
複数種類の上記第２のコンテンツの中から、上記表示部で表示する上記第１のコンテンツに対応する上記第２のコンテンツを選択し、重畳して表示させる表示制御部として機能させることを特徴とするプログラム。
【符号の説明】
【００７２】
１０…プロジェクタ装置、
１０Ａ…リッド、
１０Ｂ…赤外線受光部、
１０Ｃ…ＵＳＢ端子、
１１…ＵＳＢインタフェース（Ｉ／Ｆ）、
１２…画像メモリ、
１３…投影画像駆動部、
１４…マイクロミラー素子、
１５…光源部、
１６…ミラー、
１７…投影レンズ部、
１８…音声処理部、
１９…スピーカ部、
２０…ＣＰＵ、
２１…メインメモリ、
２２…プログラムメモリ、
２３…操作部、
Ｂ…バス、
ＭＰ１〜ＭＰ６…マスク画像、
ＳＣ…スクリーン。
【図１】
2016126051.tif 000003
【図２】
2016126051.tif 000004
【図３】
2016126051.tif 000005
【図４】
2016126051.tif 000006
【図５】
2016126051.tif 000007
【図６】
2016126051.tif 000008
【図７】
2016126051.tif 000009
【図８】
2016126051.tif 000010